(57)【要約】【課題】本発明は、液晶パネルのグレースケール値の設定方法を提供する。【解決手段】液晶パネルにおける各画素単位は面積比がａ：ｂであるメイン画素領域Ｍとサブ画素領域Ｓからなる。前記設定方法は以下の手順からなる。液晶パネルの正視角度と斜視角度における各グレースケールの実質輝度を取得する。メイン画素領域Ｍとサブ画素領域Ｓの面積比に基づいて実質輝度を分け、メイン画素領域Ｍとサブ画素領域Ｓにおけるグレースケールと実質輝度の対応関係を構築する。各グレースケールの理論輝度を計算する。メイン画素領域Ｍとサブ画素領域Ｓを組み合わせたグレースケールに入力するよう設定し、画素単位の正視角と斜視角における実質輝度と理論輝度の差の和を最小にし、各グレースケールにその手順を繰り返し行うことによって、液晶パネルの全てのグレースケールにおいてメイン画素領域Ｍとサブ画素領域Ｓにそれぞれ入力したグレースケールを得ることができる。本発明は上述の方法でグレースケール値を設定した液晶ディスプレイをも提供する。【選択図】図３
2017527848.tif 000002
【特許請求の範囲】
【請求項１】
液晶パネルのグレースケール値の設定方法であって、前記液晶パネルは複数の画素単位からなり、各画素単位はメイン画素領域Ｍとサブ画素領域Ｓからなり、前記メイン画素領域Ｍとサブ画素領域Ｓの面積比はａ：ｂであり、
そのうち前記設定方法は、
前記液晶パネルの正視角度αにおける各グレースケールＧの実質輝度Ｌｖαを取得する手順Ｓ１０１と、  
前記液晶パネルの斜視角度βにおける各グレースケールＧの実質輝度Ｌｖβを取得する手順Ｓ１０２と、
前記メイン画素領域Ｍとサブ画素領域Ｓの面積比に基づいて、実質輝度ＬｖαとＬｖβを以下の関係式、
【数１４】
2017527848.tif 000016
によって分け、
前記メイン画素領域Ｍの正視角度αと斜視角度βにおける各グレースケールＧの実質輝度ＬｖＭαとＬｖＭβをそれぞれ取得し、前記サブ画素領域Ｓの正視角度αと斜視角度βにおける各グレースケールＧの実質輝度ＬｖＳαとＬｖＳβをそれぞれ取得する手順Ｓ１０３と、
手順Ｓ１０１とＳ１０２が取得した最高グレースケールｍａｘの実質輝度Ｌｖα（ｍａｘ）とＬｖβ（ｍａｘ）、
【数１５】
2017527848.tif 000017
前記液晶パネルの正視角度αと斜視角度βにおける各グレースケールＧの理論輝度ＬｖＧαとＬｖＧβを算出する手順Ｓ１０４と、
画素単位のうちの１つのグレースケールＧｘに関し、仮にメイン画素領域Ｍとサブ画素領域Ｓに入力されるグレースケールをそれぞれＧｍｘとＧｓｘとすると、手順Ｓ１０３の結果に基づいて取得した実質輝度ＬｖＭｘα、ＬｖＭｘβ、ＬｖＳｘα、ＬｖＳｘβ、手順Ｓ１０４の結果に基づいて取得した理論輝度ＬｖＧｘαとＬｖＧｘβを用い、以下の関係式、
【数１６】
2017527848.tif 000018
を計算するとともに、
【数１７】
2017527848.tif 000019
条件［数１７］を満たす場合のｙが最小値を取得する時に対応するグレースケールＧｍｘとＧｓｘを、画素単位がグレースケールＧｘの時にそれぞれメイン画素領域Ｍとサブ画素領域Ｓに入力されたグレースケールに設定する手順Ｓ１０５と、
画素単位の各グレースケールＧに関し、手順Ｓ１０５を繰り返し、前記液晶パネルの前記グレースケールにおいてメイン画素領域Ｍとサブ画素領域Ｓにそれぞれ入力されたグレースケールを取得する手順Ｓ１０６と、からなることを特徴とする、液晶パネルのグレースケール値の設定方法。
【請求項２】
前記正視角度αは０°であり、前記斜視角度βは３０〜８０°であることを特徴とする、請求項１に記載の液晶パネルのグレースケール値の設定方法。
【請求項３】
前記斜視角度βは６０°であることを特徴とする、請求項２に記載の液晶パネルのグレースケール値の設定方法。
【請求項４】
前記液晶パネルのグレースケールは、０から２５５までの２５６個のグレースケールを備え、そのうち、最高グレースケールｍａｘは２５５グレースケールであることを特徴とする、請求項１に記載の液晶パネルのグレースケール値の設定方法。
【請求項５】
前記液晶パネルのグレースケールは、０から２５５までの２５６個のグレースケールを備え、そのうち、最高グレースケールｍａｘは２５５グレースケールであることを特徴とする、請求項２に記載の液晶パネルのグレースケール値の設定方法。
【請求項６】
前記液晶パネルの正視角度αにおける各グレースケールＧの実質輝度Ｌｖαを取得する手順は、
前記液晶パネルの正視角度αにおけるｇａｍｍａ曲線を取得するプロセスと、
前記ｇａｍｍａ曲線に基づいて前記実質輝度Ｌｖαを確定するプロセス、とからなることを特徴とする、請求項１に記載の液晶パネルのグレースケール値の設定方法。
【請求項７】
前記液晶パネルの斜視角度βにおける各グレースケールＧの実質輝度Ｌｖβを取得する手順は、
前記液晶パネルの斜視角度βにおけるｇａｍｍａ曲線を取得するプロセスと、前記ｇａｍｍａ曲線に基づいて前記実質輝度Ｌｖβを確定するプロセス、とからなることを特徴とする、請求項１に記載の液晶パネルのグレースケール値の設定方法。
【請求項８】
手順Ｓ１０６を終えた後、メイン画素領域Ｍのグレースケールと輝度の関係を示すＧｍ−Ｌｖ曲線及びサブ画素領域Ｓのグレースケールと輝度の関係を示すＧｓ−Ｌｖ曲線を取得し、前記Ｇｍ−Ｌｖ曲線とＧｓ−Ｌｖ曲線に現れる特異点は回帰スムージング法で処理することを特徴とする、請求項１に記載の液晶パネルのグレースケール値の設定方法。
【請求項９】
手順Ｓ１０６を終えた後、メイン画素領域Ｍのグレースケールと輝度の関係を示すＧｍ−Ｌｖ曲線及びサブ画素領域Ｓのグレースケールと輝度の関係を示すＧｓ−Ｌｖ曲線を取得し、前記Ｇｍ−Ｌｖ曲線とＧｓ−Ｌｖ曲線に現れる特異点をべき関数によって処理することを特徴とする、請求項１に記載の液晶パネルのグレースケール値の設定方法。
【請求項１０】
前記べき関数の演算式は、ｆ＝ｍ＊ｘ＾ｎ＋ｋであることを特徴とする、請求項９に記載の液晶パネルのグレースケール値の設定方法。
【請求項１１】
向かい合わせに設置されたバックライトモジュールと液晶パネルからなる液晶ディスプレイであって、前記バックライトモジュールが液晶パネルに光源を提供することによって前記液晶パネルが映像を表示し、前記液晶パネルは、複数の画素単位を備え、各画素単位はメイン画素領域Ｍとサブ画素領域Ｓを備え、前記メイン画素領域Ｍとサブ画素領域Ｓの面積比はａ：ｂであり、そのうち、前記液晶パネルのグレースケールの設定方法は、
前記液晶パネルの正視角度αにおける各グレースケールＧの実質輝度Ｌｖαを取得する手順Ｓ１０１と、  
前記液晶パネルの斜視角度βにおける各グレースケールＧの実質輝度Ｌｖβを取得する手順Ｓ１０２と、
前記メイン画素領域Ｍとサブ画素領域Ｓの面積比に基づいて、実質輝度ＬｖαとＬｖβを以下の関係式、
【数１８】
2017527848.tif 000020
によって分け、
前記メイン画素領域Ｍの正視角度αと斜視角度βにおける各グレースケールＧの実質輝度ＬｖＭαとＬｖＭβをそれぞれ取得し、前記サブ画素領域Ｓの正視角度αと斜視角度βにおける各グレースケールＧの実質輝度ＬｖＳαとＬｖＳβをそれぞれ取得する手順Ｓ１０３と、
手順Ｓ１０１とＳ１０２が取得した最高グレースケールｍａｘの実質輝度Ｌｖα（ｍａｘ）とＬｖβ（ｍａｘ）、
【数１９】
2017527848.tif 000021
前記液晶パネルの正視角度αと斜視角度βにおける各グレースケールＧの理論輝度ＬｖＧαとＬｖＧβを算出する手順Ｓ１０４と、
画素単位のうちの１つのグレースケールＧｘに関し、仮にメイン画素領域Ｍとサブ画素領域Ｓに入力されるグレースケールをそれぞれＧｍｘとＧｓｘとすると、手順Ｓ１０３の結果に基づいて取得した実質輝度ＬｖＭｘα、ＬｖＭｘβ、ＬｖＳｘα、ＬｖＳｘβ、手順Ｓ１０４の結果に基づいて取得した理論輝度ＬｖＧｘαとＬｖＧｘβを用い、以下の関係式、
【数２０】
2017527848.tif 000022
を計算するとともに、
【数２１】
2017527848.tif 000023
条件[数２１]を満たす場合のｙが最小値を取得する時に対応するグレースケールＧｍｘとＧｓｘを、画素単位がグレースケールＧｘの時にそれぞれメイン画素領域Ｍとサブ画素領域Ｓに入力されたグレースケールに設定する手順Ｓ１０５と、
画素単位の各グレースケールＧに関し、手順Ｓ１０５を繰り返し、前記液晶パネルの前記グレースケールにおいてメイン画素領域Ｍとサブ画素領域Ｓにそれぞれ入力されたグレースケールを取得する手順Ｓ１０６と、からなることを特徴とする、液晶ディスプレイ。
【請求項１２】
前記正視角度αは０°であり、前記斜視角度βは３０〜８０°であることを特徴とする、請求項１１に記載の液晶ディスプレイ。
【請求項１３】
前記斜視角度βは６０°であることを特徴とする、請求項１２に記載の液晶ディスプレイ。
【請求項１４】
前記液晶パネルのグレースケールは、０から２５５までの２５６個のグレースケールを備え、そのうち、最高グレースケールｍａｘは２５５グレースケールであることを特徴とする、請求項１１に記載の液晶ディスプレイ。
【請求項１５】
前記液晶パネルのグレースケールは、０から２５５までの２５６個のグレースケールを備え、そのうち、最高グレースケールｍａｘは２５５グレースケールであることを特徴とする、請求項１２に記載の液晶ディスプレイ。
【請求項１６】
前記液晶パネルの正視角度αにおける各グレースケールＧの実質輝度Ｌｖαを取得する手順は、
前記液晶パネルの正視角度αにおけるｇａｍｍａ曲線を取得するプロセスと、
前記ｇａｍｍａ曲線に基づいて前記実質輝度Ｌｖαを確定するプロセス、とからなることを特徴とする、請求項１１に記載の液晶ディスプレイ。
【請求項１７】
前記液晶パネルの斜視角度βにおける各グレースケールＧの実質輝度Ｌｖβを取得する手順は、
前記液晶パネルの斜視角度βにおけるｇａｍｍａ曲線を取得するプロセスと、
前記ｇａｍｍａ曲線に基づいて前記実質輝度Ｌｖβを確定するプロセス、とからなることを特徴とする、請求項１１に記載の液晶ディスプレイ。
【請求項１８】
手順Ｓ１０６を終えた後、メイン画素領域Ｍのグレースケールと輝度の関係を示すＧｍ−Ｌｖ曲線及びサブ画素領域Ｓのグレースケールと輝度の関係を示すＧｓ−Ｌｖ曲線を取得し、前記Ｇｍ−Ｌｖ曲線とＧｓ−Ｌｖ曲線に現れる特異点は回帰スムージング法で処理することを特徴とする、請求項１１に記載の液晶ディスプレイ。
【請求項１９】
手順Ｓ１０６を終えた後、メイン画素領域Ｍのグレースケールと輝度の関係を示すＧｍ−Ｌｖ曲線及びサブ画素領域Ｓのグレースケールと輝度の関係を示すＧｓ−Ｌｖ曲線を取得し、前記Ｇｍ−Ｌｖ曲線とＧｓ−Ｌｖ曲線に現れる特異点をべき関数で処理することを特徴とする、請求項１１に記載の液晶ディスプレイ。
【請求項２０】
前記べき関数の演算式は、ｆ＝ｍ＊ｘ＾ｎ＋ｋであることを特徴とする、請求項１９に記載の液晶ディスプレイ。
【発明の詳細な説明】
【技術分野】
【０００１】
本発明は、液晶ディスプレイの技術分野に関し、特に、液晶パネルのグレースケール値の設定方法及び前記の方法でグレースケール値を設定した液晶ディスプレイに関する。
【背景技術】
【０００２】
液晶ディスプレイまたはＬＣＤ（Ｌｉｑｕｉｄ  Ｃｒｙｓｔａｌ  Ｄｉｓｐｌａｙ）は、平らで非常に薄い表示装置であり、一定の数のカラーまたは白黒の画素で構成されており、光源または反射板の前に設置される。液晶ディスプレイは、消費電力が低いとともに、高画質であり、嵩張らず、軽いといった特徴を備えるため人気があり、ディスプレイの主流になっている。液晶ディスプレイは、表示スクリーンを備える計算機装置、携帯電話、デジタルフォトフレーム等、各種電気製品の中で広く使用されており、広視野角技術は、現在液晶ディスプレイの発展の鍵を握る技術の１つである。しかしながら、横から見るまたは斜めに見るなど視覚が大き過ぎると、広視野角液晶ディスプレイは色ずれ現象（ｃｏｌｏｒ  ｓｈｉｆｔ）を引き起こすことが多い。
【０００３】
広視野角液晶ディスプレイが色ずれ現象を引き起こす問題について、現在業界では２Ｄ１Ｇ技術の出現によって改善が図られている。いわゆる２Ｄ１Ｇ技術とは、液晶パネル中の各画素単位（ｐｉｘｅｌ）を面積が一様ではないメイン画素領域（Ｍａｉｎ  ｐｉｘｅｌ）とサブ画素領域（Ｓｕｂ  ｐｉｘｅｌ）に分け、等しい画素単位におけるメイン画素領域とサブ画素領域を、異なるデータライン（Ｄａｔａ  ｌｉｎｅ）と同じゲートライン（Ｇａｔｅ  ｌｉｎｅ）に接続したものである。メイン画素領域とサブ画素領域に異なるデータ信号（異なるグレースケール値）を入力することによって、異なる表示輝度と斜視輝度が得られ、横または斜めに見た際に起こる色ずれの問題が少なくなる。画素単位のグレースケール値に関し、メイン画素領域とサブ画素領域それぞれのグレースケール値の設定の仕方次第で、メイン画素領域とサブ画素領域のグレースケール値の組み合わせが色ずれの問題を少なくできると同時に、好ましい表示効果を達成することができるため、この問題は解決が必要とされている。
【発明の概要】
【発明が解決しようとする課題】
【０００４】
従って、本発明は、２Ｄ１Ｇ技術によってメイン画素領域とサブ画素領域のグレースケール値の設定問題を解決することのできる、液晶パネルのグレースケール値の設定方法を提供することを目的とする。
【課題を解決するための手段】
【０００５】
上述の目的を達成するために、本発明は以下の技術案を採用する。
【０００６】
液晶パネルのグレースケール値の設定方法であり、前記液晶パネルは複数の画素単位からなり、各画素単位はメイン画素領域Ｍとサブ画素領域Ｓからなり、前記メイン画素領域Ｍとサブ画素領域Ｓの面積比はａ：ｂである。そのうち、前記設定方法は以下の手順からなる。
【０００７】
手順Ｓ１０１は、前記液晶パネルの正視角αにおける各グレースケールＧの実質輝度Ｌｖαを取得する。
【０００８】
手順Ｓ１０２は、前記液晶パネルの斜視角βにおける各グレースケールＧの実質輝度Ｌｖβを取得する。
【０００９】
手順Ｓ１０３は、前記メイン画素領域Ｍとサブ画素領域Ｓの面積比に基づいて、実質輝度ＬｖαとＬｖβを以下の関係式によって分ける。
【００１０】
【数１】
2017527848.tif 000003
【００１１】
前記メイン画素領域Ｍの正視角αと斜視角βにおける各グレースケールＧの実質輝度ＬｖＭαとＬｖＭβをそれぞれ取得する。前記サブ画素領域Ｓの正視角αと斜視角βにおける各グレースケールＧの実質輝度ＬｖＳαとＬｖＳβをそれぞれ取得する。
【００１２】
手順Ｓ１０４は、手順Ｓ１０１とＳ１０２が取得した最高グレースケールｍａｘの実質輝度Ｌｖα（ｍａｘ）とＬｖβ（ｍａｘ）と、
【００１３】
【数２】
2017527848.tif 000004
に基づいて、前記液晶パネルの正視角αと斜視角βにおける各グレースケールＧの理論輝度ＬｖＧαとＬｖＧβを算出する。
【００１４】
手順Ｓ１０５は、画素単位のうちの１つのグレースケールＧｘに関し、仮にメイン画素領域Ｍとサブ画素領域Ｓ入力されるグレースケールをそれぞれＧｍｘとＧｓｘとすると、手順Ｓ１０３の結果に基づいて、実質輝度ＬｖＭｘα、ＬｖＭｘβ、ＬｖＳｘα、ＬｖＳｘβを取得し、手順Ｓ１０４の結果に基づいて、理論輝度ＬｖＧｘαとＬｖＧｘβを取得する。以下の関係式を計算する。
【００１５】
【数３】
2017527848.tif 000005
【００１６】
さらに、以下の条件に基づいて判断する。
【００１７】
【数４】
2017527848.tif 000006
【００１８】
条件[数４]を満たす場合、ｙが最小値を取得する時に対応するグレースケールＧｍｘとＧｓｘは、画素単位がグレースケールＧｘの時にそれぞれメイン画素領域Ｍとサブ画素領域Ｓに入力されたグレースケールに設定される。
【００１９】
手順Ｓ１０６は、画素単位の各グレースケールに対して、手順１０５を繰り返し、前記液晶パネルの全てのグレースケールにおいてメイン画素領域Ｍとサブ画素領域Ｓにそれぞれ入力されたグレースケールを取得する。
【００２０】
そのうち、前記正視角αは０°であり、前記斜視角βは３０〜８０°である。
【００２１】
そのうち、前記斜視角βは６０°である。
【００２２】
そのうち、前記液晶パネルのグレースケールは、０から２５５までの２５６個のグレースケールを備え、そのうち、最高グレースケールｍａｘは２５５グレースケールである。
【００２３】
そのうち、前記液晶パネルの正視角αにおける各グレースケールＧの実質輝度Ｌｖαを取得する手順は以下の通りである。
【００２４】
前記液晶パネルの正視角αにおけるｇａｍｍａ曲線を取得する。
【００２５】
前記ｇａｍｍａ曲線に基づいて、前記実質輝度Ｌｖαを確定する。
【００２６】
そのうち、前記液晶パネルの斜視角βにおける各グレースケールＧの実質輝度Ｌｖβを取得する手順は以下の通りである。
【００２７】
前記液晶パネルの斜視角βにおけるｇａｍｍａ曲線を取得する。
【００２８】
前記ｇａｍｍａ曲線に基づいて、前記実質輝度Ｌｖβを確定する。
【００２９】
そのうち、手順Ｓ１０６を終えた後、メイン画素領域Ｍのグレースケールと輝度の関係を示すＧｍ−Ｌｖ曲線及びサブ画素領域のグレースケールと輝度の関係を示すＧｓ−Ｌｖ曲線を取得し、そのうち、前記Ｇｍ−Ｌｖ曲線とＧｓ−Ｌｖ曲線に現れる特異点は回帰スムージング法を採用して処理する。
【００３０】
そのうち、手順Ｓ１０６を終えた後、メイン画素領域Ｍのグレースケールと輝度の関係を示すＧｍ−Ｌｖ曲線及びサブ画素領域のグレースケールと輝度の関係を示すＧｓ−Ｌｖ曲線を取得し、そのうち、前記Ｇｍ−Ｌｖ曲線とＧｓ−Ｌｖ曲線に現れる特異点はべき関数を採用して処理する。
【００３１】
そのうち、前記べき関数の演算式は、ｆ＝ｍ＊ｘ＾ｎ＋ｋである。
【００３２】
さらに、本発明は、向かい合わせに設置されたバックライトモジュールと液晶パネルからなる液晶ディスプレイを提供することを目的とする。前記バックライトモジュールが液晶パネルに光源を提供することによって、前記液晶パネルが映像を表示する。前記液晶パネルは、複数の画素単位を備え、各画素単位はメイン画素領域Ｍとサブ画素領域Ｓを備え、前記メイン画素領域Ｍとサブ画素領域Ｓの面積比はａ：ｂである。そのうち、前記液晶パネルは上述の方法でグレースケール値を設定する。
【発明の効果】
【００３３】
本発明が提供する液晶ディスプレイは、各画素単位を面積が一様ではないメイン画素領域とサブ画素領域に分け、メイン画素領域とサブ画素領域に異なるデータ信号（異なるグレースケール値）を入力することによって、異なる表示輝度と斜視輝度が得られ、横または斜めに見た際に起こる色ずれの問題を少なくすることができる。そのうち、本考案の実施例が提供するグレースケール値の設定方法に基づいて、メイン画素領域とサブ画素領域のグレースケールを設定することによって、メイン画素領域とサブ画素領域が正視角と斜視角において取得したｇａｍｍａ曲線はどれもｇａｍｍａ（γ）＝２．２に近づき、色ずれの問題を少なくすることができると同時に好ましい表示効果を得ることができ、正視角の表示効果に明らかな変化がない限り、広い視野角における光漏れや色ずれの問題を改善することができる。
【図面の簡単な説明】
【００３４】
【図１】本発明の実施例が提供する液晶ディスプレイの構造を示した図である。
【図２】本発明の実施例が提供する液晶パネルにおける画素単位の一部を示した図である。
【図３】本発明の実施例が提供するグレースケール値の設定方法のフローチャートである。
【図４】本発明の実施例が提供する液晶パネルにおけるグレースケール調整前のｇａｍｍａ曲線図である。
【図５】本発明の実施例が提供する液晶パネルにおけるグレースケール調整後のｇａｍｍａ曲線図である。
【図６】本発明の実施例におけるグレースケール調整後のグレースケールと輝度の関係曲線図である。
【図７】本発明の別の実施例が提供する液晶パネルにおけるグレースケール調整後のｇａｍｍａ曲線図である。
【図８】本発明の別の実施例におけるグレースケール調整後のグレースケールと輝度の関係曲線図である。
【発明を実施するための形態】
【００３５】
本発明の技術の特徴と構造をさらに詳しく説明するため、以下に実施例及び図を添えて詳細する。
【００３６】
図１は本実施例が提供する液晶ディスプレイの構造を示した図である。図２は本実施例が提供する液晶パネルにおける画素単位の一部を示した図である。図１と図２を参照する。本実施が提供する液晶ディスプレイは、向かい合わせに設置されたバックライトモジュール１及び液晶パネル２からなり、前記バックモジュール１は液晶パネル２に表示光源を提供することによって、液晶パネル２は映像を表示することができる。そのうち、前記液晶パネル２は複数の画素単位２０からなり、各画素単位２０はメイン画素領域（Ｍａｉｎ  ｐｉｘｅｌ）Ｍとサブ画素領域（Ｓｕｂ  ｐｉｘｅｌ）Ｓからなる。前記メイン画素領域Ｍとサブ画素領域Ｓの面積比はａ：ｂである。
【００３７】
図２において、等しい画素単位２０におけるメイン画素領域Ｍとサブ画素領域Ｓは、異なるデータラインＤｎ、Ｄｎ＋１と同じゲートラインＧｎに接続され、データラインＤｎ、Ｄｎ＋１は、メイン画素領域Ｍとサブ画素領域Ｓにそれぞれ異なるグレースケール値のデータ信号を提供することによって、またゲートラインＧｎは、メイン画素領域Ｍとサブ画素領域Ｓにゲート信号を提供することによって、等しい画素単位２０におけるメイン画素領域Ｍとサブ画素領域Ｓは、等しいゲート信号によって起動される。
【００３８】
上述の液晶ディスプレイにおいて、メイン画素領域とサブ画素領域に異なるデータ信号（異なるグレースケール値）を入力することによって、異なる表示輝度と斜視輝度が得られ、横または斜めに見た際に起こる色ずれの問題を少なくすることができる。
【００３９】
上述の液晶ディスプレイを本実施例が提供するグレースケール値の設定方法で、主に、メイン画素領域Ｍとサブ画素領域Ｓのグレースケール値をそれぞれ設定する。  図３のフローチャートに示す通り、前記の設定方法は以下の手順からなる。
【００４０】
（ａ）、前記液晶パネルの正視角αにおける各グレースケールＧの実質輝度Ｌｖαを取得する。
【００４１】
（ｂ）、前記液晶パネルの斜視角βにおける各グレースケールＧの実質輝度Ｌｖβを取得する。
【００４２】
（ｃ）、前記メイン画素領域Ｍとサブ画素領域Ｓの面積比に基づいて、実質輝度ＬｖαとＬｖβに分け、メイン画素領域Ｍとサブ画素領域ＳにおけるグレースケールＧと実質輝度の対応関係を構築する。以下の関係式によって分ける。
【００４３】
【数５】
2017527848.tif 000007
【００４４】
前記メイン画素領域Ｍの正視角αと斜視角βにおける各グレースケールＧの実質輝度ＬｖＭαとＬｖＭβをそれぞれ取得する。前記サブ画素領域Ｓの正視角αと斜視角βにおける各グレースケールＧの実質輝度ＬｖＳαとＬｖＳβをそれぞれ取得する。
【００４５】
（ｄ）、（ａ）と（ｂ）が取得した最高グレースケールの実質輝度に基づいて、各グレースケールの理論輝度を計算する。例えば、最高グレースケールｍａｘの実質輝度Ｌｖα（ｍａｘ）とＬｖβ（ｍａｘ）、
【００４６】
【数６】
2017527848.tif 000008
前記液晶パネルの正視角αと斜視角βにおける各グレースケールＧの理論輝度ＬｖＧαとＬｖＧβを算出する。
【００４７】
（e）、ある画素単位のメイン画素領域Ｍとサブ画素領域Ｓを組み合わせたグレースケールに入力するよう設定することによって実質輝度と理論輝度の差の和を最小にすることができるとともに、前記組み合わせたグレースケールにおいて、メイン画素領域Ｍとサブ画素領域Ｓのグレースケールは、それぞれ前記画素単位の１つ前のグレースケールにおいてメイン画素領域Ｍとサブ画素領域Ｓに入力されたグレースケールより小さくない。具体的には、画素単位のうち１つのグレースケールＧｘに関して、仮にメイン画素領域Ｍとサブ画素領域Ｓに入力されるグレースケールをそれぞれＧｍｘとＧｓｘとすると、手順（ｃ）の結果に基づいて、実質輝度ＬｖＭｘα、ＬｖＭｘβ、ＬｖＳｘα、ＬｖＳｘβを得ることができ、手順（ｄ）の結果に基づいて、理論輝度ＬｖＧｘαとＬｖＧｘβを得ることができる。前記画素単位の１つ前のグレースケールＧ（ｘ−１）においてメイン画素領域Ｍとサブ画素領域Ｓに入力されなければならないグレースケールはそれぞれＧｍ（ｘ−１）とＧｓ（ｘ−１）である。以下の関係式を計算する。
【００４８】
【数７】
2017527848.tif 000009
【００４９】
さらに、以下の条件に基づいて判断する。
【００５０】
【数８】
2017527848.tif 000010
【００５１】
条件[数８]を満たす場合、ｙが最小値を取得する時に対応するグレースケールＧｍｘとＧｓｘは、画素単位がグレースケールＧｘの時それぞれメイン画素領域Ｍとサブ画素領域Ｓに入力されたグレースケールに設定される。
【００５２】
（ｆ）、画素単位の各グレースケールに関し、（ｅ）の手順を繰り返し行い、前記液晶パネルの前記グレースケールにおいてメイン画素領域Ｍとサブ画素領域Ｓにそれぞれ入力されたグレースケールを取得する。
【００５３】
本実施例において、正視角αは０°であり、斜視角βは６０°である。別の実施例において、斜視角βは３０〜８０°の範囲内で選ぶことができる。そのうち、正視角とは液晶ディスプレイの正視角方向であり、斜視角とは液晶ディスプレイに向かい合う正視方向に形成された角度である。
【００５４】
本実施例において、前記液晶パネルのグレースケールは、０から２５５までの２５６個のグレースケールを備え、そのうち、最高グレースケールｍａｘは２５５グレースケールである。
【００５５】
メイン画素領域Ｍとサブ画素領域Ｓの面積比はａ：ｂ＝２：１、正視角はα＝０°、斜視角はβ＝６０°を具体的な例とする。
【００５６】
まず、図４に示すように、液晶パネルの正視角０°と斜視角６０°におけるｇａｍｍａ曲線を取得する。前記ｇａｍｍａ曲線に基づいて、正視角０°と斜視角６０°における各グレースケールＧ（０−２５５）の実質輝度Ｌｖ０（０−２５５）及びＬｖ６０（０−２５５）を確定する。
【００５７】
次に、メイン画素領域Ｍとサブ画素領域Ｓの面積比ａ：ｂ＝２：１によって、実質輝度Ｌｖ０とＬｖ６０を、ＬｖＭ０、ＬｖＳ０、ＬｖＭ６０とＬｖＳ０に、ＬｖＭ０、ＬｖＳ０、ＬｖＭ６０とＬｖＳ０に分け、以下の関係式を満たすものとする。
【００５８】
【数９】
2017527848.tif 000011
【００５９】
メイン画素領域Ｍの正視角０°と斜視角６０°における各グレースケールＧ（０−２５５）の実質輝度ＬｖＭ０（０−２５５）及びＬｖＭ６０（０−２５５）を取得する。サブ画素領域Ｓの正視角０°と斜視角６０°における各グレースケールＧ（０−２５５）の実質輝度ＬｖＭ０（０−２５５）及びＬｖＭ６０（０−２５５）を取得し、メイン画素領域Ｍとサブ画素領域ＳにおけるグレースケールＧと実質輝度の対応関係を構築する。
【００６０】
さらに、最高グレースケールである２５５グレースケールの実質輝度Ｌｖ０（２５５）及びＬｖ６０（２５５）、
【００６１】
【数１０】
2017527848.tif 000012
前記液晶パネルの正視角度０°と斜視角度６０°における各グレースケールＧ（０−２５５）の理論輝度ＬｖＧ０（０−２５５）及びＬｖＧ６０（０−２５５）を算出し、グレースケールＧと理論輝度の対応関係を構築する。
【００６２】
さらに、画素単位のうちの１つのグレースケールＧｘ（Ｇｘは０−２５５のうちのどれか１つ）に関し、仮にメイン画素領域Ｍとサブ画素領域Ｓに入力されるグレースケールをそれぞれＧｍｘとＧｓｘとすると、前記構築したメイン画素領域Ｍとサブ画素領域ＳにおけるグレースケールＧと実質輝度の対応関係に基づいて、グレースケールＧｍｘとＧｓｘに対応する実質輝度ＬｖＭｘ０、ＬｖＭｘ６０、ＬｖＳｘ０、ＬｖＳｘ６０を取得することができ、前記構築したグレースケールＧと理論輝度の対応関係に基づいて、グレースケールＧｘに対応する理論輝度ＬｖＧｘ０とＬｖＧｘ６０を取得することができる。以下の関係式を計算する。
【００６３】
【数１１】
2017527848.tif 000013
【００６４】
ＧｍｘとＧｓｘの取得値の組み合わせの試行を繰り返すことによって、ＧｍｘとＧｓｘの取得値の組み合わせは、式中のｙが最小値を取得すると、そのグレースケールＧｍｘとＧｓｘは、画素単位がグレースケールＧｘにおいてメイン画素領域Ｍとサブ画素領域Ｓにそれぞれ入力されたグレースケールに設定されるようにすることができる。
【００６５】
最後に、画素単位の各グレースケールＧ（０−２５５）に関し、先ほどの手順を繰り返すと、前記液晶パネルの全てのグレースケール（０−２５５）においてメイン画素領域Ｍとサブ画素領域Ｓに入力されたグレースケールを取得することができる。
【００６６】
本考案の実施例において、メイン画素領域Ｍとサブ画素領域Ｓのグレースケールを調整すると、液晶パネルの正視角０°と斜視角６０°におけるｇａｍｍａ曲線は、図５のようになる。メイン画素領域Ｍとサブ画素領域Ｓのグレースケールを設定することによって、メイン画素領域Ｍとサブ画素領域Ｓの正視角と斜視角において取得されたｇａｍｍａ曲線は、ｇａｍｍａ（γ）＝２．２に近づき、色ずれの問題を少なくすることができると同時に好ましい表示効果を得ることができる。
【００６７】
以上の手順で設定した後の、メイン画素領域Ｍのグレースケールと輝度の関係を示すＧｍ−Ｌｖ曲線、及びサブ画素領域Ｓのグレースケールと輝度の関係を示すＧｓ−Ｌｖ曲線図を図６に示す。図６が示す関係曲線図において、１５７グレースケール付近でグレースケール反転が生じているとともに、曲線上に特異な離散データ点が存在するが、これが液晶ディスプレイの表示品質に影響を与える。
【００６８】
この問題を改善するため、メイン画素領域Ｍとサブ画素領域Ｓに入力されるグレースケールＧｍｘとＧｓｘを設定する手順において、比較の条件を加える。例えば、画素単位のうちの１つのグレースケールＧｘ（例えば１００グレースケール）に関し、仮にメイン画素領域Ｍとサブ画素領域Ｓに入力されるグレースケールをそれぞれＧｍｘとＧｓｘとする。前記画素単位の１つ前のグレースケールＧ（ｘ−１）（９９グレースケール）におけるメイン画素領域Ｍとサブ画素領域Ｓに入力されなければならないグレースケールはそれぞれＧｍ（ｘ−１）とＧｓ（ｘ−１）である。
【００６９】
以下の関係式を計算する。
【００７０】
【数１２】
2017527848.tif 000014
【００７１】
上述の過程において、判断条件を加える。
【００７２】
【数１３】
2017527848.tif 000015
【００７３】
条件［数１３］を満たす場合、ｙが最小値を取得する時に対応するグレースケールＧｍｘとＧｓｘは、画素単位がグレースケールＧｘの時にそれぞれメイン画素領域Ｍとサブ画素領域Ｓに入力されたグレースケールに設定される。以上の判断条件を加えると、液晶パネルの正視角０°と斜視角６０°におけるｇａｍｍａ曲線は図７に示す通りになる。
【００７４】
判断条件を加えることによって、１つの画素単位のうち、１つ後のグレースケールにおいてメイン画素領域Ｍとサブ画素領域Ｓに入力されたグレースケールは、それぞれ前記画素単位の１つ前のグレースケールにおいてメイン画素領域Ｍとサブ画素領域Ｓに入力されたグレースケールより小さくないため、最後に取得されたグレースケールと輝度の関係曲線図において特異点は現れず、平滑な曲線を得ることができ、最初の計算で生じた誤差が修正される。
【００７５】
図８は、判断条件を加える手順に基づいて設定した後の、メイン画素領域Ｍのグレースケールと輝度の関係を示すＧｍ−Ｌｖ曲線及びサブ画素領域Ｓのグレースケールと輝度の関係を示すＧｓ−Ｌｖ曲線図である。図８から見て分かる通り、Ｇｍ−Ｌｖ曲線とＧｓ−Ｌｖ曲線は平滑な曲線であり、そのうち、サブ画素領域Ｓの１３５グレースケール以降の輝度は飽和するため、本実施例にに基づいてグレースケールを設定すると、液晶ディスプレイの表示品質を向上させることができる。
【００７６】
要約すると、本発明の実施例が提供する液晶ディスプレイは、各画素単位を面積が一様ではないメイン画素領域とサブ画素領域に分け、メイン画素領域とサブ画素領域に異なるデータ信号（異なるグレースケール値）を入力することによって、異なる表示輝度と斜視輝度が得られ、横または斜めに見た際に起こる色ずれの問題を少なくすることができる。そのうち、本考案の実施例が提供するグレースケール値の設定方法に基づいて、メイン画素領域とサブ画素領域のグレースケールを設定することによって、メイン画素領域とサブ画素領域が正視角と斜視角において取得したｇａｍｍａ曲線はどれもｇａｍｍａ（γ）＝２．２に近づき、色ずれの問題を少なくすることができると同時に好ましい表示効果を得ることができ、正視角の表示効果に明らかな変化がない限り、広い視野角における光漏れや色ずれの問題を改善することができる。
【００７７】
当然のことながら、本発明の保護範囲は、上述の具体的な実施方式に限定されず、本領域の技術者は、本発明の精神と範囲を逸脱しない範囲内で、本発明を変更または変形することができる。このように、本発明のこれらの修正や変形は本発明の特許請求範囲及び同等の技術の範囲内に属し、本発明はこれらの変更や変化を含むものとする。  
【符号の説明】
【００７８】
１    バックライトモジュール
２    液晶パネル
Ｄｎ  データライン
Ｇｎ  ゲートライン
２０  画素単位
Ｍ    メイン画素領域
Ｓ    サブ画素領域
【図１】
2017527848.tif 000024
【図２】
2017527848.tif 000025
【図３】
2017527848.tif 000026
【図４】
2017527848.tif 000027
【図５】
2017527848.tif 000028
【図６】
2017527848.tif 000029
【図７】
2017527848.tif 000030
【図８】
2017527848.tif 000031
【国際調査報告】
2017527848.tif 000032
2017527848.tif 000033
2017527848.tif 000034
2017527848.tif 000035